(57)【要約】  【課題】冷蔵庫製造時の電源コードの収納と固定において、外部応力によるコードのはずれを無くし、電源コードの納入形態を大きく変えずに、組み立て作業を可能とする。  【解決手段】冷蔵庫背面上部に位置する冷蔵庫背面化粧板６と、この、冷蔵庫背面化粧板上部両サイドに設けられた、前記冷蔵庫運搬用取手７と、この両サイドの運搬用取手７間に設けられた凹部１１とからなり、この凹部１１の背面側開口部にリブ２０が突出したことを特徴とする電源電線収納用凹部１１を備える。これにより、梱包時における外部応力による電源コードの外れ等を防止できるとともに、電源コードを冷蔵庫へ組み付ける際に、納入時の荷姿のまま収納可能とすることができ、更に電源コードを結束していた輪ゴムを廃棄すること無く出荷可能で、冷蔵庫を需要家へ届けるまでの間も電源コードの固定を確実にして電源コードの破損等を防止可能とすることができる。【選択図】図３
2006078052.tif 000002
【特許請求の範囲】
【請求項１】
冷蔵庫本体の背面上部に取り付く背面化粧板と、前記背面化粧板に設けられた電装部品収納部と、前記電装部品収納部をカバーする蓋と、前記電装部品収納部内へ配線する電源コードと、前記背面化粧板の左右に一体に形成された冷蔵庫運搬用取手と、前記冷蔵庫運搬用取手間に凹部空間を設けるとともに、前記凹部空間に前記電源コードを収納可能としたことを特徴とする冷蔵庫。
【請求項２】
電源コードを収納可能とした凹部空間の外周にリブを設けたことを特徴とする請求項１に記載の冷蔵庫。
【請求項３】
電源コードを収納可能とした凹部空間の外周に設けるリブは、背面化粧板上部に一体に複数形成することを特徴とする請求項２に記載の冷蔵庫。
【請求項４】
電源コードを収納可能とした凹部空間の外周に設けるリブは、背面化粧板の左右に一体に形成する運搬用取手から水平方向に対向して形成することを特徴とする請求項２に記載の冷蔵庫。
【請求項５】
電源コードを収納可能とした凹部空間の外周に設けるリブは、背面化粧板上部に一体に連続して凹部空間の全幅にわたって形成することを特徴とする請求項２に記載の冷蔵庫。
【請求項６】
電源コードを収納可能とした凹部空間の外周に設けるリブは、電装部品収納部をカバーする蓋上部より一体に形成したことを特徴とする請求項２に記載の冷蔵庫。
【請求項７】
電源コードを収納可能とした凹部空間は背面化粧板とは別体に取り付ける箱状ピースとしたことを特徴とする請求項１に記載の冷蔵庫。
【発明の詳細な説明】
【技術分野】
【０００１】
本発明は、電源コード収納部を備えた冷蔵庫に関するものである。
【背景技術】
【０００２】
一般に、この種の冷蔵庫は電装部品収納箱を冷蔵庫背面上部に備え、出荷時における電源コードの収納方法として、前記電装収納箱から引き出し、冷蔵庫背面に設けられた対向する複数の専用フック等に引っ掛けた後、背面の化粧板等に一体に成型された凹部に前記電源コードのプラグ部分を差込み固定している。このような冷蔵庫において、前記電源コードに外部応力等が加わった場合前記対向するフックからコードが外れ、最悪の場合電源電線先端部のプラグ部も前記凹部から外れて電源コードの破損につながることがある。そこで、前記対向するフック間のコード部分の約中央部に粘着テープ等で冷蔵庫本体に貼り付け固定し、電源コードの外れを防止していた（例えば、特許文献１参照）。
【０００３】
図１１は、特許文献１に記載された従来の冷蔵庫の背面斜視図を示すものである。図１２は、同従来の冷蔵庫の背面上部詳細斜視図である。
【０００４】
図１１に示すように、冷蔵庫本体１と、外箱２、内箱３、前記外箱２と、内箱３間には、発泡断熱材４が発泡充填している。前記外箱２の背面部には、冷蔵庫背面板５、冷蔵庫背面化粧板６、が挿入固着され、一体に発泡固着している。
【０００５】
冷蔵庫運搬用取手７が前記背面化粧板６の上部両サイドに位置し、一体に形成している。前記冷蔵庫本体を制御する電装部品８は、前記背面化粧板６の凹部（図示せず）に内蔵する。前記電装部品８をカバーする蓋９が前記化粧板にビス等１０により固着する。
【０００６】
前記、冷蔵庫運搬用取手７間には、前記電源コードを収納可能とする凹部１１が構成する。前記電装部品８への電源供給を行う電源コード１２が前記蓋１０の一部開口部より侵入し、前記電装部品８へ電気的に接続している。前記背面化粧板６には、前記電源コード１２を引っ掛けるフック１３が突出している。また、前記背面化粧板６の下方には、樹脂等により一体に成型された第２の化粧板１４が取り付く。この第２の化粧板１４にも、前記電源コード１２を引っ掛けるための第二のフック１５が一体に成型されている。
【０００７】
前記化粧板６に前記電源コード１２のプラグ部１６を挿入可能な凹部１７が一体に形成する。前記電源コード１２は、前記フック１３と第２のフック１５に引っ掛けられ前記電源コードの先端プラグ部１６が前記背面化粧板６の凹部に挿入固定する。このとき、前記電源コードのコード部１８が左右に移動し、前記フック１３と、第二のフック１５からの脱落を防止するため、粘着テープ１９等で貼り付け固定されている。
【０００８】
本構成により、前記電源コードのコード部１８が左右に移動しても、前記フック１３と、第二のフック１５からの脱落を防止するための粘着テープ１９等で貼り付け固定されているので、電源コードの脱落を防止できるというものである。
【特許文献１】特開２０００−１８００２９号公報
【発明の開示】
【発明が解決しようとする課題】
【０００９】
しかしながら、上記従来の構成では第一のクランプと第二のクランプ間のコードが、外力により引っ掛かれ、粘着テープが剥がれた場合、整理されていた電源コードが外れ、電源コードに傷または、プラグ部が破損すると言う課題があった。更に、通常電源コードの納入時の荷姿については、運搬しやすいように、納入用のダンボール箱に複数個の各電源コードが輪ゴム等で束ねて梱包され納入される。この場合冷蔵庫の製造する現場においては、前記段ボール箱より取り出した電源コードを前記冷蔵庫出荷時の配線にすべく、電源コードの輪ゴムを解く必要があり、組立時の作業工数が多くかかると共に、前記電源コードを結束していた輪ゴムを廃棄しなければならないと言う課題があった。
【課題を解決するための手段】
【００１０】
上記従来の課題を解決するために、本発明の冷蔵庫は、冷蔵庫本体の背面上部に取り付く背面化粧板と、前記背面化粧板に設けられた電装部品収納部と、前記電装部品収納部をカバーする蓋と、前記電装部品収納部内へ配線する電源コードと、前記背面化粧板の左右に一体に形成された冷蔵庫運搬用取手と、前記冷蔵庫運搬用取手間に凹部空間を設けるとともに、前記凹部空間に前記電源コードを収納可能としたものである。
【００１１】
これにより、簡単な構造で応力が加わることなく梱包時における電源コードの収納が可能となる。また、電源コードを冷蔵庫へ組み付ける際に、納入時の荷姿のまま収納可能とすることができ、更に電源コードを結束していた輪ゴムを廃棄すること無く出荷可能で、冷蔵庫を需要家へ届けるまでの間も電源コードの固定を確実にして電源コードの破損等を防止することができる。
【発明の効果】
【００１２】
本発明の冷蔵庫は、梱包時および搬送時の電源コードの収納性、確実性が高まり、低コストで安全性の高い冷蔵庫を提供することができる。
【発明を実施するための最良の形態】
【００１３】
請求項１記載の発明は、冷蔵庫本体の背面上部に取り付く背面化粧板と、前記背面化粧板に設けられた電装部品収納部と、前記電装部品収納部をカバーする蓋と、前記電装部品収納部内へ配線する電源コードと、前記背面化粧板の左右に一体に形成された冷蔵庫運搬用取手と、前記冷蔵庫運搬用取手間に凹部空間を設けるとともに、前記凹部空間に前記電源コードを収納可能としたものであり、簡単な構造で応力が加わることなく梱包時における電源コードの収納が可能となる。また、電源コードを冷蔵庫へ組み付ける際に、納入時の荷姿のまま収納可能とすることができ、更に電源コードを結束していた輪ゴムを廃棄すること無く出荷可能で、冷蔵庫を需要家へ届けるまでの間も電源コードの固定を確実にして電源コードの破損等を防止することができ、梱包時および搬送時の電源コードの収納性、確実性が高まり、低コストで安全性の高い冷蔵庫を提供することができる。
【００１４】
請求項２に記載の発明は、請求項１に記載の発明において、電源コードを収納可能とした凹部空間の外周にリブを設けたものであり、電源コードの電線部が外部応力により脱落することが無く常に安定した電源コード収納を可能にする。
【００１５】
請求項３に記載の発明は、請求項２に記載の発明において、電源コードを収納可能とした凹部空間の外周に設けるリブは、背面化粧板上部に一体に複数形成するものであり、簡単な構造で電源コード収納の確実性を高めることができる。
【００１６】
請求項４に記載の発明は、請求項２に記載の発明において、電源コードを収納可能とした凹部空間の外周に設けるリブは、背面化粧板の左右に一体に形成する運搬用取手から水平方向に対向して形成するものであり、簡単な構造で電源コード収納の確実性を高めることができる。
【００１７】
請求項５に記載の発明は、請求項２に記載の発明において、電源コードを収納可能とした凹部空間の外周に設けるリブは、背面化粧板上部に一体に連続して凹部空間の全幅にわたって形成するものであり、簡単な構造で電源コード収納の確実性を高めることができる。
【００１８】
請求項６に記載の発明は、請求項２に記載の発明において、電源コードを収納可能とした凹部空間の外周に設けるリブは、電装部品収納部をカバーする蓋上部より一体に形成したものであり、簡単な構造で電源コード収納の確実性を高めることができる。
【００１９】
請求項７に記載の発明は、請求項１に記載の発明において、電源コードを収納可能とした凹部空間は背面化粧板とは別体に取り付ける箱状ピースとしたものであり、機種ごとの凹部空間を形成する部品の兼用化が可能となり低コスト化を図ることができる。
【００２０】
以下、本発明の実施の形態について、図面を参照しながら説明する。なお、この実施の形態によってこの発明が限定されるものではない。
【００２１】
（実施の形態１）
図１は、本発明の実施の形態１における冷蔵庫の背面斜視図である。図２は、同実施の形態の冷蔵庫の背面上部詳細斜視図である。
【００２２】
図１と図２において冷蔵庫本体１と、外箱２、内箱３、前記外箱２と、内箱３間には、発泡断熱材４が発泡充填している。前記外箱２の背面部には、冷蔵庫背面板５、冷蔵庫背面化粧板６が挿入固着され、一体に発泡固着している。
【００２３】
冷蔵庫運搬用取手７が前記背面化粧板６の上部両サイドに位置し、一体に形成している。前記冷蔵庫本体を制御する電装部品８は、前記背面化粧板６の凹部（図示せず）に内蔵し、前記電装部品８をカバーする蓋９が前記化粧板にビス１０等により固着する。前記電装部品８への電源供給を行う電源コード１２が前記蓋９の一部開口部より侵入し、前記電装部品８へ電気的に接続している。前記背面化粧板６には、前記電源コードを引っ掛けるフック１３が一体成型等により突出している。
【００２４】
冷蔵庫背面上部に位置する冷蔵庫背面化粧板６と、この、冷蔵庫背面化粧板上部両サイドに設けられた、前記冷蔵庫運搬用取手７と、この両サイドの運搬用取手７間に設けられた凹部１１とからなり、この凹部１１の背面側開口部にリブ２０が突出し凹部１１に電源電線を収納可能としているので、簡単な構造で応力が加わることなく梱包時における電源コードの収納が可能となる。また、電源コードを冷蔵庫へ組み付ける際に、納入時の荷姿のまま収納可能とすることができ、更に電源コードを結束していた輪ゴムを廃棄すること無く出荷可能で、冷蔵庫を需要家へ届けるまでの間も電源コードの固定を確実にして電源コードの破損等を防止することができ、梱包時および搬送時の電源コードの収納性、確実性が高まり、低コストで安全性の高い冷蔵庫を提供することができる。
【００２５】
（実施の形態２）
図３は、本発明の実施の形態２における冷蔵庫の背面斜視図である。図４は、同実施の形態の冷蔵庫の背面上部詳細斜視図である。
【００２６】
図３と図４において冷蔵庫本体１と、外箱２、内箱３、前記外箱２と、内箱３間には、発泡断熱材４が発泡充填している。前記外箱２の背面部には、冷蔵庫背面板５、冷蔵庫背面化粧板６、が挿入固着され一体に発泡固着している。
【００２７】
冷蔵庫運搬用取手７が前記背面化粧板６の上部両サイドに位置し、一体に形成している。前記冷蔵庫本体を制御する電装部品８は、前記背面化粧板６の凹部（図示せず）に内蔵し、前記電装部品８をカバーする蓋９が前記化粧板にビス１０等により固着する。前記電装部品８への電源供給を行う電源コード１２が前記蓋９の一部開口部より侵入し、前記電装部品８へ電気的に接続している。前記背面化粧板６には、前記電源コードを引っ掛けるフック１３一体成型等により突出している。
【００２８】
冷蔵庫背面上部に位置する冷蔵庫背面化粧板６と、この、冷蔵庫背面化粧板上部両サイドに設けられた前記冷蔵庫運搬用取手７と、この両サイドの運搬用取手７間に設けられた凹部１１とからなり、前記冷蔵庫運搬用取手７の互いに対向する位置にリブ２１が突出し凹部１１に電源電線を収納可能としているので、運搬時に冷蔵庫を傾斜させても凹部１１に収納した電源電線が外れることもなく運搬することができる。
【００２９】
（実施の形態３）
図５は、本発明の実施の形態３における冷蔵庫の背面斜視図である。図６は、同実施の形態の冷蔵庫の背面上部詳細斜視図である。
【００３０】
図５と図６において冷蔵庫本体１と、外箱２、内箱３、前記外箱２と、内箱３間には、発泡断熱材４が発泡充填している。前記外箱２の背面部には、冷蔵庫背面板５、冷蔵庫背面化粧板６、が挿入固着され、一体に発泡固着している。
【００３１】
冷蔵庫運搬用取手７が前記背面化粧板６の上部両サイドに位置し、一体に形成している。前記冷蔵庫本体を制御する電装部品８は、前記背面化粧板６の凹部（図示せず）に内蔵し、前記電装部品８をカバーする蓋９が前記化粧板にビス１０等により固着する。前記電装部品８への電源供給を行う電源コード１２が前記蓋９の一部開口部より侵入し、前記電装部品８へ電気的に接続している。前記背面化粧板６には、前記電源コードを引っ掛けるフック１３が一体成型等により突出している。
【００３２】
冷蔵庫背面上部に位置する冷蔵庫背面化粧板６と、冷蔵庫本体運搬用取手７と、この両サイドの運搬用取手７間に設けられた凹部１１とからなり、前記冷蔵庫本体運搬用取手７間に連続したリブ２２が突出し、凹部１１に電源電線を収納可能としているので、簡単な構造で応力が加わることなく梱包時における電源コードの収納が可能となる。また、電源コードを冷蔵庫へ組み付ける際に、納入時の荷姿のまま収納可能とすることができ、更に電源コードを結束していた輪ゴムを廃棄すること無く出荷可能で、冷蔵庫を需要家へ届けるまでの間も電源コードの固定を確実にして電源コードの破損等を防止することができ、梱包時および搬送時の電源コードの収納性、確実性が高まり、低コストで安全性の高い冷蔵庫を提供することができる。
【００３３】
（実施の形態４）
図７は、本発明の実施の形態４における冷蔵庫の背面斜視図である。図８は、同実施の形態の冷蔵庫の背面上部詳細斜視図である。
【００３４】
図７と図８において冷蔵庫本体１と、外箱２、内箱３、前記外箱２と、内箱３間には、発泡断熱材４が発泡充填している。前記外箱２の背面部には、冷蔵庫背面板５、冷蔵庫背面化粧板６、が挿入固着され、一体に発泡固着している。
【００３５】
冷蔵庫運搬用取手７が前記背面化粧板６の上部両サイドに位置し、一体に形成している。前記冷蔵庫本体を制御する電装部品８は、前記背面化粧板６の凹部（図示せず）に内蔵し、前記電装部品８をカバーする蓋９が前記化粧板にビス１０等により固着する。前記電装部品８への電源供給を行う電源コード１２が前記蓋９の一部開口部より侵入し、前記電装部品８へ電気的に接続している。前記背面化粧板６には、前記電源コードを引っ掛けるフック１３一体成型等により突出している。
【００３６】
また、冷蔵庫背面上部に位置する冷蔵庫背面化粧板６とこの冷蔵庫背面化粧板両サイドに設けられた、前記冷蔵庫本体運搬用取手７と、この両サイドの運搬用取手７間に設けられた凹部１１と、前記冷蔵庫の制御をつかさどる電装部品８を収納する背面化粧板６と、前記収納部をカバーする蓋９からなり、前記蓋９の上辺フランジ部２３の一部に突出するリブ２４が突出し、凹部１１に電源電線を収納可能としているので、簡単な構造で応力が加わることなく梱包時における電源コードの収納が可能となる。また、電源コードを冷蔵庫へ組み付ける際に、納入時の荷姿のまま収納可能とすることができ、更に電源コードを結束していた輪ゴムを廃棄すること無く出荷可能で、冷蔵庫を需要家へ届けるまでの間も電源コードの固定を確実にして電源コードの破損等を防止することができ、梱包時および搬送時の電源コードの収納性、確実性が高まり、低コストで安全性の高い冷蔵庫を提供することができる。
【００３７】
（実施の形態５）
図９は、本発明の実施の形態５における冷蔵庫の背面斜視図である。図１０は、同実施の形態の冷蔵庫の背面上部詳細斜視図である。
【００３８】
図９と図１０において冷蔵庫本体１と、外箱２、内箱３、前記外箱２と、内箱３間には、発泡断熱材４が発泡充填している。前記外箱２の背面部には、冷蔵庫背面板５、冷蔵庫背面化粧板６、が挿入固着され、一体に発泡固着している。
【００３９】
冷蔵庫運搬用取手７が前記背面化粧板６の上部両サイドに位置し、一体に形成している。前記冷蔵庫本体を制御する電装部品８は、前記背面化粧板６の凹部（図示せず）に内蔵し、前記電装部品８をカバーする蓋９が前記化粧板にビス１０等により固着する。前記電装部品８への電源供給を行う電源コード１２が前記蓋９の一部開口部より侵入し、前記電装部品８へ電気的に接続している。前記背面化粧板６には、前記電源コードを引っ掛けるフック１３一体成型等により突出している。
【００４０】
冷蔵庫背面上部に位置する冷蔵庫背面化粧板６とこの冷蔵庫背面化粧板６上部両サイドに設けられた、前記冷蔵庫本体運搬用取手７と、この両サイドの運搬用取手７間に設けられた凹部１１と、前記運搬用取手７間の凹部１１に取り付く別部品２５からなり、前記別部品２５は、前記運搬用取手７間にビス２６等により固着し、凹部１１に電源電線を収納可能としているので、簡単な構造で応力が加わることなく梱包時における電源コードの収納が可能となる。また、電源コードを冷蔵庫へ組み付ける際に、納入時の荷姿のまま収納可能とすることができ、更に電源コードを結束していた輪ゴムを廃棄すること無く出荷可能で、冷蔵庫を需要家へ届けるまでの間も電源コードの固定を確実にして電源コードの破損等を防止することができ、梱包時および搬送時の電源コードの収納性、確実性が高まり、低コストで安全性の高い冷蔵庫を提供することができる。また、機種ごとの凹部空間を形成する部品の兼用化が可能となり低コスト化を図ることができる。
【産業上の利用可能性】
【００４１】
以上のように、本発明にかかる冷蔵庫は、電源コードを生産工程で取り付けの際、納入時の荷姿のまま組立が可能となり、電装部品収納部を形成する、背面化粧板に運搬用取手と、電源コードを有する大型テレビ受像機、洗濯機等の家電製品への用途にも適用できる。
【図面の簡単な説明】
【００４２】
【図１】本発明の実施の形態１における冷蔵庫の背面斜視図
【図２】本発明の実施の形態１における冷蔵庫の背面上部詳細斜視図
【図３】本発明の実施の形態２における冷蔵庫の背面斜視図
【図４】本発明の実施の形態２における冷蔵庫の背面上部詳細斜視図
【図５】本発明の実施の形態３における冷蔵庫の背面斜視図
【図６】本発明の実施の形態３における冷蔵庫の背面上部詳細斜視図
【図７】本発明の実施の形態４における冷蔵庫の背面斜視図
【図８】本発明の実施の形態４における冷蔵庫の背面上部詳細斜視図
【図９】本発明の実施の形態５における冷蔵庫の背面斜視図
【図１０】本発明の実施の形態５における冷蔵庫の背面上部詳細斜視図
【図１１】従来発明の冷蔵庫の背面斜視図
【図１２】従来発明の冷蔵庫の背面上部詳細斜視図
【符号の説明】
【００４３】
１    冷蔵庫本体
２    外箱
３    内箱
４    発泡断熱材
５    背面板
６    冷蔵庫背面化粧板
７    冷蔵庫運搬用取手
８    冷蔵庫制御用電装部品
１０  蓋取り付け用ビス
１１  電源コード収納用凹部
１３  第１のハンガー
１４  第２の化粧板
１５  第２のハンガー
１７  プラグ用凹部
１９  粘着テープ
２０  リブ
２１  運搬用取手に対抗するリブ
２２  連続したリブ
２４  蓋上辺のリブ
２５  別部品
【図１】
2006078052.tif 000003
【図２】
2006078052.tif 000004
【図３】
2006078052.tif 000005
【図４】
2006078052.tif 000006
【図５】
2006078052.tif 000007
【図６】
2006078052.tif 000008
【図７】
2006078052.tif 000009
【図８】
2006078052.tif 000010
【図９】
2006078052.tif 000011
【図１０】
2006078052.tif 000012
【図１１】
2006078052.tif 000013
【図１２】
2006078052.tif 000014